(57)【要約】【課題】消弧板周辺の圧力勾配、消弧板の電流経路からの電磁力などの影響で消弧板での持続的なアークの維持ができないと、溶融した消弧板や導体などからの金属液滴や剥離した絶縁物などが排気口に詰まり、外部への流路抵抗が増大する。又、上記２つの作用によりアークが消弧板から排出されると電極降下電圧の発生、アークの冷却効果などが作用しなくなりアーク電圧が低下して限流性能が低下することとなる。【解決手段】固定接点、この固定接点と接離する可動接点、この可動接点の開離時に固定接点と可動接点間に発生するアークを分断消弧する複数枚の消弧板を配列した消弧装置、アークを消弧装置まで誘導する固定接点側及び可動接点側アーク走行導体を備え、アーク走行導体と消弧板とをそれぞれ所定の間隙をおいて対向させると共に、アーク走行導体、及び最外側消弧板の対向面の何れか一方又は両方に、電界を強化する電界強化部を設けたものである。【選択図】図１
2010020975.tif 000002
【特許請求の範囲】
【請求項１】
固定接点、この固定接点と接離する可動接点、この可動接点の開離時に上記固定接点と上記可動接点間に発生するアークを分断消弧する複数枚の消弧板を配列した消弧装置、上記アークを上記消弧装置まで誘導する固定接点側アーク走行導体及び可動接点側アーク走行導体を備え、
上記アーク走行導体と、最外側に配列された消弧板とをそれぞれ所定の間隙をおいて対向させると共に、上記アーク走行導体、及び上記最外側消弧板の対向面の何れか一方又は両方に、電界を強化する電界強化部を設けたことを特徴とする回路遮断器。
【請求項２】
上記電界強化部は、突出して設けられた凸部、及び貫通穴或は切り欠きで形成された凹部の何れか一方又は両方で構成されたものであることを特徴とする請求項１記載の回路遮断器。
【請求項３】
上記突出部は、絶縁樹脂で被覆されていることを特徴とする請求項１記載の回路遮断器。
【請求項４】
上記突出部は、上記間隙の外側に配置され、上記アーク走行導体とは別の部材で構成されたものであることを特徴とする請求項１記載の回路遮断器。
【発明の詳細な説明】
【技術分野】
【０００１】
この発明は、配線用遮断器や漏電遮断器などの回路遮断器に関し、消弧装置である複数枚重ねられた消弧板へとアークを移行させるためのアーク走行導体を有する消弧室において、消弧板でのアーク維持性能を向上させることで過電流を抑制する限流性能を向上させることができる回路遮断器に関するものである。
【背景技術】
【０００２】
近年における低圧配線用設備の大容量化、省スペース化により、配線用遮断器・漏電遮断器などは外形寸法の小形化が要求されている。小形化における課題の一つとしてあげられるのが過電流を低く抑制する限流性能の向上である。事故時などの過電流の遮断時に、接点間に発生したアークを引き込んで分断し、電極降下電圧の発生及びアークの冷却などによりアーク電圧を高めて限流させる消弧板は、限流性能を左右する部品の一つであり、消弧板でアークを持続的に維持することが重要である。限流性能向上により回路遮断器の消弧室で処理するアークエネルギーの低下が可能となり、回路遮断器を構成する部品への熱的、電磁力的な負担が軽減して小形化が可能となる。
従来の配線用遮断器では、接点間に発生したアークを、アーク走行導体に移行させることでアークを伸張させてアーク抵抗を高め（アーク抵抗増大によりアーク電圧も上昇する）、さらに消弧装置である消弧板に取り込むことで過電流を限流させている（特許文献１参照）。
この特許文献１に開示された従来の発明では、接点間に発生したアークを、アーク走行導体に沿って走行させることで高速にアークを伸張させて限流性能を向上するようにした回路遮断器を提供している。
【０００３】
【特許文献１】特開２００４−２７３２３５号公報
【発明の開示】
【発明が解決しようとする課題】
【０００４】
特許文献１に開示された従来の回路遮断器にあっては、消弧板での持続的なアークの維持ができないという欠点があり、これは、消弧板周辺の圧力勾配、消弧板の電流経路からの電磁力などが影響しているためである。消弧板周辺の圧力勾配とは、アークが消弧板に取り込まれた状態となると、アークは外部排気口方向に押しつけられ、外部排気口周辺の圧力が上昇して、広い接点間方向の空間へアークが押し戻されることである。同現象は、溶融した消弧板や導体などからの金属液滴や剥離した絶縁物などが排気口に詰まり、外部への流路抵抗が増大することによって影響が大きくなる。
消弧板の電流経路からの電磁力とは、各消弧板でアークの発生するポイントが異なった場合、消弧板の電流経路からの磁気駆動力もアークに作用し、場合によっては上記圧力上昇の場合と同様に接点間方向へ押し戻す力が発生することである。
上記２つの作用によりアークが消弧板から排出されると電極降下電圧の発生、アークの冷却効果などが作用しなくなりアーク電圧が低下して限流性能が低下することとなる。
なお、特許文献１においては、アーク走行導体の排気口側端部が消弧板方向に曲げられ、消弧板と走行電路のギャップを短縮することで電界が強化されている構造となっている。しかしながら、消弧板とアーク走行導体間の流路抵抗が増大する構造になっており、結果として、アークを消弧板まで高速走行させるに必要な外部排気口方向へのガスの流れによる駆動力を低下させる要因となっている。
【課題を解決するための手段】
【０００５】
この発明に係わる回路遮断器は、固定接点、この固定接点と接離する可動接点、この可
動接点の開離時に上記固定接点と上記可動接点間に発生するアークを分断消弧する複数枚の消弧板を配列した消弧装置、上記アークを上記消弧装置まで誘導する固定接点側アーク走行導体及び可動接点側アーク走行導体を備え、
上記アーク走行導体と、最外側に配列された消弧板とをそれぞれ所定の間隙をおいて対向させると共に、上記アーク走行導体、及び上記最外側消弧板の対向面の何れか一方又は両方に、電界を強化する電界強化部を設けたものである。
【発明の効果】
【０００６】
消弧板にアークが到達すると、外部排気口側の圧力上昇や磁気駆動力などにより、消弧板にあるアークが接点側空間に排出され、消弧板でのアーク分断が無くなることで電極降下電圧が無くなり、アーク電圧の低下により限流性能が低下する現象が発生する可能性がある。この発明によれば電界強化部により電界が強化されアークの両端が消弧板で保持されつづけ、前記排出現象による限流性能低下を抑制することが可能となる。この結果、事故発生などによる過電流を抑制する限流性能が向上し、回路遮断器自体に注入されるエネルギーの低下により回路遮断器の構造物への負担が軽減して回路遮断器の小形化が可能となる。さらには、回路遮断器が接続されたラインやこれに接続された他の回路遮断器及び負荷などへの負担が軽減することが可能となる。
又、消弧板とこれに対向するアーク走行導体間に電界強化部を設けることで、従来例に対して接点間から走行してきたアークの消弧板での維持性能を高めることができ、消弧板でのアーク分断を維持することで電極降下電圧を発生することが可能となり、過電流に対する限流性能を向上させることが可能となる。さらに、電界強化部を、アーク走行導体の側面に配置すれば、排気口に続く流路であるアーク走行導体中央部の流路抵抗を高めることもなく（アーク走行導体の中央部に突起を設ければ、アーク走行導体上を通過するガスの流れを止めてしまい、アークの消弧板への駆動力を低減させてしまう）外部への熱ガス排気を妨げない構造にでき、これによりアークの高速走行性能の低下を防止できる付加的効果も期待できる。
又、消弧板での良好なアーク維持性能を可能にすることで、接点及びアーク走行導体などにおける再点弧（再びアークが発生すること）が無くなり、これら部品の消耗を抑制することが可能になる。従って、回路遮断器自体の長寿命化につながるものである。
【発明を実施するための最良の形態】
【０００７】
以下、図面に基づいて、この発明の各実施の形態を説明する。
なお、各図間において、同一符号は同一あるいは相当部分を示す。
【０００８】
実施の形態１．
図１〜２は、実施の形態１による回路遮断器の消弧室を説明するための図であり、より具体的には、図１は消弧室の側面図、図２は消弧装置の両側と対向する各アーク走行導体（固定接点側アーク走行導体２、及び可動接点側アーク走行導体７）を示し、（ａ）はその正面図、（ｂ）はその斜視図である。これらの図には示していないが、同消弧室は絶縁物からなる容器の中に、異常電流を検出して開極指令を出すリレー部、同指令の伝達先である駆動機構部などと一体収納されている。なお、図２（ｃ）、（ｄ）は、実施の形態１の変形例を示し段落番号００１４で後述する。
【０００９】
図１に示すように、消弧室は、固定接点１を有する固定接点側アーク走行導体２と、固定接点１と接離する可動接点３を有して固定接点側アーク走行導体２と接触子対を形成する可動接触子４と、可動接触子４の開離時に固定接点１と可動接点３の間に発生するアークを取り込み分断する複数枚重ねられた消弧板５からなる消弧装置６と、可動接触子４上のアークが転流し、消弧装置６に誘導する可動接点側アーク走行導体７と、アーク発生に伴う熱ガスを回路遮断器の外部に排出するための排気口８から構成されている。
固定接点１が固着された固定接点側アーク走行導体２は、消弧装置６へと伸びている。
可動接触子４には、可動接点３が固着され可動接点３より先端側（図中左側）はアークホーン１０１となっており、さらに、可動接触子４は可動接点側アーク走行導体７と導体で接続され、電気的に接続状態にある。なお、固定接点１、もしくは可動接点３は、固定接点側アーク走行導体２もしくは可動接触子４を構成する導電部材で代用されてもよい。
【００１０】
固定接点１が固着された固定接点側アーク走行導体２、及び可動接点側アーク走行導体７は、消弧装置６へと伸びており、消弧装置６の両側（図中左右方向）から挟み込む構造となっている。
さらに、消弧装置６の両側と対向する固定接点側アーク走行導体２と可動接点側アーク走行導体７には、それぞれの両側面にアークを挟むよう設けられ電界を局部的に強化する電界強化部、すなわち凸部形状の突出部１０２、１０３が設けられている。なお、この突出部１０２、１０３は、固定接点側アーク走行導体２あるいは可動接点側アーク走行導体７の一方だけに設けてもよい。
排気口８は、絶縁部材で構成されており消弧装置６の背面側に配置されている。
【００１１】
上記消弧室において、回路遮断器に過電流が流れると、可動接触子４の開閉機構(図示
せず)が動作し、可動接触子４が開極動作に至り、固定接点１と可動接点３間にアーク（
ａ１）が発生する。
この接点１、３対間のアーク（ａ１）は、まず固定接点側に発生したアークが周囲の圧力勾配による排気口方向への熱ガスの流れ、及び導体に流れる過電流からの電磁力などが作用して、固定接点１から連続して伸びる固定接点側走行電路を消弧装置６方向に走行する。続いて、アークホーン１０１の先端に到達したアークスポットは、可動接点側アーク走行導体７に転流（ａ２）する。この転流動作が高速に進むように、可動接点側アーク走行導体７は、固定接点側アーク走行導体２側へ張り出している。この転流の高速化によりアークは、消弧装置６に対して略垂直な状態で到達し、消弧板５によって分断（ａ３）される。この結果、電極効果電圧が生じてアーク電圧が高くなり、限流性能が高められる。
【００１２】
アークが消弧装置６に引き込まれた際、消弧板５の周辺の圧力勾配、消弧板５の電流経路からの電磁力などが影響し、走行してきた接点間方向へ押し戻す力が作用する。なお、消弧板５の周辺の圧力勾配とは、アークが消弧板５に取り込まれた状態となると、アークは排気口８方向に押しつけられ、排気口８周辺の圧力が、広い接点間方向の空間の圧力に比べて高くなることである。
同現象は、溶融した消弧板５や導体などからの金属液滴や剥離した絶縁物などが排気口８に詰まり、外部への流路抵抗が増大することによって影響が大きくなる。なお、消弧板５の電流経路からの電磁力とは、各消弧板の表裏でアークが発生するポイントが異なった場合、アークに対して直角な消弧板５の電流経路からの磁気駆動力もアークに作用し、場合によっては上記圧力上昇の場合と同様に接点間方向へ押し戻す力が発生することである。
上記２つの作用によりアークが消弧装置６から排出されると電極降下電圧が生じなくなりアーク電圧が低下して限流性能が低下することとなる。
【００１３】
これに対して、図１、２に示した実施の形態１における固定接点側及び可動接点側アーク走行導体２、７は、突出部１０２、突出部１０３を設けることで消弧装置６両端の電界を局部的に強化し、アークスポットが生じ易くなることでアークの戻りを防止することが可能となっている。さらに、上記突出部１０２、１０３は、導体の側面に配置することで消弧装置６両端の排気口８方向への熱ガスの流れを妨げない配置となっており、接点間から消弧装置６までの高速走行を実現させている。
これらの結果、アークは消弧装置６で安定的に維持することが可能となり、高いアーク電圧を発生させることで良好な限流性能を実現することが可能となる。
【００１４】
次に実施の形態１の変形例を説明する。
図２（ｃ）、（ｄ）は、実施の形態１の変形例である各アーク走行導体２、７を示し、（ｃ）はその正面図、（ｄ）はその斜視図である。
消弧板でのアーク分断状態を維持するには、消弧板と対向するアーク走行導体部分でアークの両端を保持し続ける必要があり、アークの保持には電界を強化することが有効であり、電界の強化はアーク走行導体の表面形状に凹凸（両方に、又は単独で）を付けることで可能になる。
このため、電界強化部としては、上記凸部形状の突出部１０２、１０３のほかに、例えば打抜き加工による貫通穴で形成された凹部、或は切り欠きで形成された凹部が考えられるが、図２（ｃ）、（ｄ）の凹部は、打抜き穴１００によって形成したものである。この打抜き穴１００は、消弧板５と対向する固定接点側アーク走行導体２、及び可動接点側アーク走行導体７の一部分を打ち抜き加工して設けることで、その穴縁部分の電界を強化させて上記突出部１０２、１０３と同様の効果を実現させたものである。なお、この変形例は、実施の形態２においても同じ要領で実施可能であるが、説明は省略する。
【００１５】
このように、電界強化部を、アーク走行導体２、７の側面に凸部を配置するか、凹部を配置して構成すれば、排気口に続く流路であるアーク走行導体中央部の流路抵抗を高めることもなく（アーク走行導体２、７の中央部に突起を設ければ、アーク走行導体上を通過するガスの流れを止めてしまい、アークの消弧板５への駆動力を低減させてしまう）外部への熱ガス排気を妨げない構造にでき、これによりアークの高速走行性能の低下を防止できる効果も期待できる。
【００１６】
なお、この実施の形態１における消弧室では、可動接点側アーク走行導体７が固定接点側アーク走行導体２に対して張り出した構造を示したが、これに限るものでなく、固定接点側アーク走行導体２が可動接点側アーク走行導体７に対して突出した構造であってもよい。
すなわち、アーク走行型の消弧室は、次のように２ケースの形態があり、この発明は、この周知の２形態の何れの消弧室にも採用できるものである。
ケース（１）  図１で説明している形態で、固定接点側アークは連続したアーク走行導体を走行して消弧装置に到達し、可動接点側アークは可動子先端から可動接点側アーク走行導体７に転流して消弧装置に到達する。
ケース（２）  このケース２では、上記ケース（１）すなわち図１における可動接点側アーク走行導体７上に固定接点１が配置され、これが固定側アーク走行導体（図１の７に相当）となる。換言すれば、図１における固定接点側アーク走行導体２上の固定接点が無くなり、この固定接点側アーク走行導体２は可動接点側アーク走行導体（図１の２に相当）となる。従って、可動接触子４の回転方向が図１とは逆方向となり、可動接触子４の可動接点３が上方の固定接点に対し開閉動作し、可動接触子先端のアークは、対向する可動側アーク走行導体（図１の２に相当）に転流して消弧装置に到達する。
【００１７】
実施の形態２．
図３は、実施の形態２による回路遮断器の消弧室を説明するための図であり、より具体的には、図３は消弧室の側面図、図４は消弧板の正面図である。これらの図には示していないが、同消弧室は絶縁物からなる容器の中に、異常電流を検出して開極指令を出すリレー部、同指令の伝達先である駆動機構部などと一体収納されている。
【００１８】
図３に示すように、消弧室は、固定接点１を有する固定接点側アーク走行導体２と、固定接点１と接離する可動接点３を有して固定接点側アーク走行導体２と接触子対を形成する可動接触子４と、可動接触子４の開離時に固定接点１と可動接点３の間に発生するアークを取り込み分断する複数枚重ねられた消弧板５からなる消弧装置６と、可動接触子４上のアークが転流し、消弧装置に誘導する可動接点側アーク走行導体７と、アーク発生に伴
う熱ガスを回路遮断器の外部に排出するための排気口８から構成されている。
固定接点１が固着された固定接点側アーク走行導体２は、消弧装置６へと伸びている。可動接触子４には可動接点３が固着され、可動接点３より先端側（図中左側）はアークホーン１０１となっており、さらに、可動接触子４は可動接点側アーク走行導体７と導体で接続され、電気的に接続状態にある。なお、固定接点１、もしくは可動接点３は固定接点側アーク走行導体２もしくは可動接触子４を構成する導電部材で代用されてもよい。
【００１９】
固定接点１が固着された固定接点側アーク走行導体２、及び可動接点側アーク走行導体７は、消弧装置６へと伸びており、消弧装置６の両側（図中左右方向）から挟み込む構造となっている。さらに、固定接点側アーク走行導体２と可動接点側アーク走行導体７に対向する消弧板５には、図４に示すように突出部１０４ａ、１０４ｂが設けられている。なお、突出部１０４ａ、１０４ｂは、固定接点側アーク走行導体２あるいは可動接点側アーク走行導体７の一方だけに設けてもよい。
排気口８は絶縁部材で構成されており、消弧装置６の背面側に配置されている。
【００２０】
上記消弧室において、回路遮断器に過電流が流れると、可動接触子４の開閉機構(図示
せず)が動作し、可動接触子４が開極動作に至り、固定接点１と可動接点３間にアーク（
ａ１）が発生する。
この接点１、３対間のアーク（ａ１）は、まず固定接点側に発生したアークが周囲の圧力勾配による排気口方向への熱ガスの流れ、及び導体に流れる過電流からの電磁力などが作用して、固定接点１から連続して伸びる固定接点側走行電路を消弧装置６方向に走行する。続いて、アークホーン１０１先端に到達したアークスポットは、可動接点側アーク走行導体７に転流（ａ２）する。この転流動作が高速に進むように可動接点側アーク走行導体７は、固定接点側アーク走行導体２側へ張り出している。この転流の高速化によりアークは消弧装置６に対して略垂直な状態で到達し、消弧板５によって分断（ａ３）される。この結果、電極降下電圧が生じてアーク電圧が高くなり、限流性能が高められる。
【００２１】
アークが消弧装置６に引き込まれた際、消弧板５周辺の圧力勾配、消弧板５の電流経路からの電磁力などが影響し、走行してきた接点間方向へ押し戻す力が作用する。消弧板５周辺の圧力勾配とは、アークが消弧板５に取り込まれた状態となると、アークは排気口８方向に押しつけられ、排気口８周辺の圧力が上昇して、広い接点間方向の空間へアークが押し戻されることである。
同現象は、溶融した消弧板５や導体などからの金属液滴や剥離した絶縁物などが排気口８に詰まり、外部への流路抵抗が増大することによって影響が大きくなる。なお、消弧板５の電流経路からの電磁力とは、各消弧板の表裏でアークが発生するポイントが異なった場合、アークに対して直角な消弧板５の電流経路からの磁気駆動力もアークに作用し、場合によっては上記圧力上昇の場合と同様に接点間方向へ押し戻す力が発生することである。
上記２つの作用によりアークが消弧装置６から排出されると電極降下電圧が生じなくなりアーク電圧が低下して限流性能が低下することとなる。
【００２２】
これに対して、図４に示した実施の形態２における消弧板５は、その両側に突出部１０４ａと１０４ｂを設けることで消弧装置６両端の電界を局部的に強化し、アークスポットが生じ易くなることでアークの戻りを防止することが可能となっている。さらに、上記突出部１０４ａ、１０４ｂは、消弧板５の側面に配置することで消弧装置６両端の排気口８方向への熱ガスの流れを妨げない配置となっており、接点間から消弧装置６までの高速走行を実現させている。
これらの結果、アークは消弧装置６で安定的に維持することが可能となり、高いアーク電圧を発生させることで良好な限流性能を実現することが可能となる。
【００２３】
なお、この実施の形態２における消弧室では、可動接点側アーク走行導体７が固定接点側アーク走行導体２に対して張り出した構造を示したが、これに限るものでなく、固定接点側アーク走行導体が可動接点側アーク走行導体側に対して突出した構造であってもよい（段落番号１６参照）。
又、消弧板５の切り欠き部５ａは、消弧板に起因する磁束の偏りによりアークが消弧板に吸引されて消弧に至る際、磁束の偏りを強化するものである。消弧装置は、消弧板５を複数枚重ね合わせて構成されているが、複数枚の中の一部が切り欠き部を備えていない機種もある。
【００２４】
実施の形態３．
図５は、消弧装置の両側に対向配置された実施の形態３の固定接点側及び可動接点側アーク走行導体２、７の正面図である。
図５に示した突出部１０５ａ、１０５ｂは、アーク走行導体２、７とは別の部材で構成されアーク走行導体２、７の両側面に離間距離ｇ（可動接点側アーク走行導体７、固定接点側アーク走行導体側２と最外側の消弧板５との間隙ｇ）をおいて、図には示していない絶縁部材からなる消弧室空間を構成する筐体に保持されて配置、すなわちアーク流路の外側に配置されている。このように配置することによって消弧装置６両端の電界を局部的に強化し、消弧板と対向するアーク走行導体２、７に発生したアークスポットから発生したアークが、突出部１０５ａ、１０５ｂを経由させることで消弧板周辺にアースポットが生じ易くなりアークの戻りを防止することが可能となっている。
又、突出部１０５ａ、１０５ｂは、上記のごとくアーク走行導体２、７とは別部材で構成されると共に各アーク走行導体２、７の側面に配置されるので、消弧装置６両端の排気口８方向への熱ガスの流れを妨げない配置となっており、接点間から消弧装置６までの高速走行を実現させている。これらの結果、アークは消弧装置６で安定的に維持することが可能となり、高いアーク電圧を発生させることで良好な限流性能を実現することが可能となる。又、電流経路であるアーク走行導体の消耗による溶断を防止し、アークの消弧板までの到達不能を防止することが可能となる。
なお、突出部１０５ａ、１０５ｂと可動接点側アーク走行導体７、固定接点側アーク走行導体２とは導通不要である。
【００２５】
実施の形態４．
図６は、消弧装置の両側に対向配置された実施の形態４の固定接点側、及び可動接点側アーク走行導体２、７の正面図である。
図６に示した突出部１０２、１０３は、固定接点側及び可動接点側アーク走行導体２、７の両側に配置され、絶縁樹脂１０６で被覆したものである。これにより、消弧装置６両端の電界を局部的に強化し、アークスポットが生じ易くなることでアークの戻りを防止すると共に、突出部１０２、１０３の消耗を防ぎ高温となったアークにより絶縁樹脂１０６から絶縁蒸気を発生させ、アークの冷却及び消弧室内部の圧力上昇などを行い、さらに限流性能を向上させることが可能となる。さらに、突出部１０２、１０３はアーク走行導体２、７の側面に配置することで消弧装置６両端の排気口８方向への熱ガスの流れを妨げない配置となっており、接点間から消弧装置６までの高速走行を実現させている。
これらの結果、アークは消弧装置６で安定的に維持することが可能となり、高いアーク電圧を発生させることで良好な限流性能を実現することが可能となる。
なお、実施の形態４における突出部１０２、１０３は、アーク走行導体２、７との導通有無にかかわらず、絶縁樹脂が被覆されるものである。
【図面の簡単な説明】
【００２６】
【図１】この発明の実施の形態１における回路遮断器の消弧室を示す側面図である。
【図２】消弧装置の両側と対向する各アーク走行導体２、７を示し、（ａ）はその正面図、（ｂ）はその斜視図である。（ｃ）、（ｄ）は、実施の形態１の変形例である各アーク走行導体２、７を示し、（ｃ）はその正面図、（ｄ）はその斜視図である。
【図３】実施の形態２における回路遮断器の消弧室を示す側面図である。
【図４】実施の形態２における回路遮断器の消弧板の正面図である。
【図５】実施の形態３における各アーク走行導体２、７の正面図である。
【図６】実施の形態４における各アーク走行導体２、７の正面図である。
【符号の説明】
【００２７】
１  固定接点
２  固定接点側アーク走行導体
３  可動接点                        ４  可動接触子
５  消弧板                          ５ａ  消弧板５の切り欠き部
６  消弧装置
７  可動接点側アーク走行導体
８  排気口
１０１  アークホーン
１００  打抜き穴（凹部）
１０２、１０３  突出部（凸部）
１０４ａ、１０４ｂ  突出部（凸部）
１０５ａ、１０ｂ  突出部（凸部）
１０６ａ、１０６ｂ  絶縁樹脂。
【図１】
2010020975.tif 000003
【図２】
2010020975.tif 000004
【図３】
2010020975.tif 000005
【図４】
2010020975.tif 000006
【図５】
2010020975.tif 000007
【図６】
2010020975.tif 000008